(57)【要約】【課題】本発明は、野菜類を畑地において、播種から育成栽培し、その後収穫物を保存するに当たり、省スペース、省エネルギー方式の、しかも、作業性の良い簡便な野菜類の育成・保存装置を提供する。【解決手段】  複数の連設された略Ａ字型の支柱と、該支柱間を連繋する複数の連結具と、該支柱群と頂部の連結具を内郭として、その外側を全面的に又は部分的に張設した覆い具と、から構成される野菜類の育成・保存装置であって、前記各支柱の両脚又は片脚の上部に回動ジョイントを設け、該回動ジョイントから下方に延在し、かつ、外方へ開くように回動可能な可動アームを設けると共に、該可動アームが該覆い具を担持することを特徴とする野菜類の育成・保存装置。【選択図】図１
2009011220.tif 000002
【特許請求の範囲】
【請求項１】
複数の連設された略Ａ字型の支柱と、該支柱間を連繋する複数の連結具と、該支柱群と頂部の連結具を内郭として、その外側を全面的に又は部分的に張設した覆い具と、から構成される野菜類の育成・保存装置であって、前記各支柱の両脚又は片脚の上部に回動ジョイントを設け、該回動ジョイントから下方に延在し、かつ、外方へ開くように回動可能な可動アームを設けると共に、該可動アームが該覆い具を担持することを特徴とする野菜類の育成・保存装置。
【請求項２】
前記回動ジョイントが、前記可動アームを脚部に沿った閉の位置から外方へ開くように回動する場合に、二以上の回動位置で固定することができると共に、逆に閉じる方には、可動アームの最大開の位置を越えると閉の位置まで留まることなく戻せる作用を行うラチェット式であることを特徴とする請求項１記載の野菜類の育成・保存装置。
【請求項３】
前記覆い具が、前記可動アームの反回動ジョイント側の端部で切断されて、二又は三分割されていることを特徴とする請求項１又は２記載の野菜類の育成・保存装置。
【請求項４】
前記覆い具が、透明又は不透明の合成樹脂製シート又は合成樹脂製ネット又は寒冷紗のいずれかから選択されたものであること特徴とする請求項１又は２又は３記載の野菜類の育成・保存装置。
【請求項５】
前記覆い具が、支柱間で支柱に平行な単数又は複数の補強体で裏打ちされて補強されていることを特徴とする請求項１乃至４のいずれかに記載の野菜類の育成・保存装置。
【発明の詳細な説明】
【技術分野】
【０００１】
本発明は、野菜類を畑地において、播種から育成栽培し、その後収穫物を保存するに当たり、省スペース、省エネルギー方式の、しかも、作業性の良い簡便な野菜類の育成・保存装置に関するものである。
【背景技術】
【０００２】
従来、野菜類の播種から育成・栽培において、日当たりや気温に左右され難い、また防虫し易い設備として、大は、温室であるビニールハウス等が用いられ、小は、防寒、防暑の対策として畝をポリフィルムで覆うマルチングや、畝の上に逆Ｕ字状の支柱を立てて、その上に寒冷紗又はビニールをかけるトンネル等が用いられている。
【特許文献１】特開２００３−３３９２５４（〔図１〕）
【発明の開示】
【発明が解決しようとする課題】
【０００３】
野菜類の育成・栽培装置の観点からは、ビニールハウスなどの温室は規模が大きくて設備費が掛かり、また、移動ができないという難点がある。一方、マルチングやトンネルは簡単な設備で、どの場所でも設置できるが、手間が掛かることや、規模が小さいという難点があった。
【０００４】
本発明はこれらの課題を改善したものであって、播種から育成・栽培段階の適切な保護や収穫後の収穫物の保存において、降雨、高温、低温、強日光、害虫等の障害から野菜類を守り、育て、尚且つ収穫後の保存をすることができる省スペース、省エネルギー方式であって、しかも作業性の良い野菜類の育成・保存装置を提供するものである。
【課題を解決するための手段】
【０００５】
上記の目的を達成するために、本発明の請求項１に係る野菜類の育成・保存装置は、複数の連設された略Ａ字型の支柱と、該支柱間を連繋する複数の連結具と、該支柱群と頂部の連結具を内郭として、その外側を全面的に又は部分的に張設した覆い具と、から構成される野菜類の育成・保存装置であって、前記各支柱の両脚又は片脚の上部に回動ジョイントを設け、該回動ジョイントから下方に延在し、かつ、外方へ開くように回動可能な可動アームを設けると共に、該可動アームが該覆い具を担持することを特徴とする。また、請求項２に係る野菜類の育成・保存装置は、請求項１記載の野菜類の育成・保存装置において、前記回動ジョイントが、前記可動アームを脚部に沿った閉の位置から外方へ開くように回動する場合に、二以上の回動位置で固定することができると共に、逆に閉じる方には、可動アームの最大開の位置を越えると閉の位置まで留まることなく戻せる作用を行うラチェット式であることを特徴とする。また、請求項３に係る野菜類の育成・保存装置は、請求項２に記載の野菜類の育成・保存装置において、前記覆い具が、前記可動アームの反回動ジョイント側の端部で切断されて、二又は三分割されていることを特徴とする。
【０００６】
本装置は、支柱と連結具と覆い具とからなる部品で構成されているので、畑において、組立、解体又は解体して移動し、組立が簡易であり、規模の拡大又は縮小が連設する支柱の数の増減で可能である。そして、請求項１〜３の構成を採用することにより、野菜類の育苗、育成における防寒、防暑や外気との遮断による防虫、遮光が行え、収穫物の保存等には風通しを良好にして乾燥する等が自由自在に行える装置である。すなわち、回動可能な可動アームを全閉の状態にすれば、本装置は外気と遮断できる温室とすることができ、全開にすれば可動アームと支柱の間において覆い具が畝方向にダクト状の空間を形成し、本装置の端から端までその空間によって風通しを良好にすることができ、装置内を乾燥状態に保ち得るので、野菜類の収穫物の保存に適した条件を創出できる。また、覆い具を可動アームのところで分割すれば、可動アームが開の状態において、換気用の揚げ窓を設けたことと同効となる。また、可動アームが開の時に、可動アームから上部の部分の覆い具を遮光性のものにすれば、本装置内にある野菜類を遮光することが可能となる。
【０００７】
また、請求項４に係わる野菜類の育成・保存装置は、請求項１又は２又は３記載の野菜類の育成・保存装置において、前記覆い具が、透明又は不透明の合成樹脂製シート又は合成樹脂製ネット又は寒冷紗のいずれかから選択されたものであること特徴とする。また、請求項５に係わる野菜類の育成・保存装置は、請求項１乃至４のいずれかに記載の野菜類の育成・保存装置において、前記覆い具が、支柱間で支柱に平行な単数又は複数の補強体で裏打ちされて補強されていることを特徴とする。
【０００８】
これらの構成により、覆い具の選択により断熱・遮熱、遮光、外気の遮断、風通しの効果が得られるので、野菜類の育成・栽培や保存の条件に適合させることができる。また、合成樹脂製ネットの覆い具の場合には、ネットに蔓ものの野菜を育成することもできる。また、覆い具をワイヤ状又は紐状の高張力の補強体で裏打ちされているので、強風等によって、覆い具の外郭形を損ねることが少なく、また切り裂きにも対抗することができる。
【発明の効果】
【０００９】
本発明に係る請求項１から５記載の野菜類の育成・保存装置によれば、支柱と連結具と覆い具とからなる部品で構成されているので、畑において、組立、解体又は解体して移動し、組立が簡易であり、規模の拡大又は縮小が容易であり、労力も少なくてよい。また、設置場所も畝や畦を跨いで設置できるので、設置場所の制約が少ない。野菜類の育苗、育成・栽培、収穫保存の各時期に合わせて、可動アームの開閉及び覆い具の選択と掛け方を調節することにより、温度条件、日射条件、乾湿条件等を適切にすることができる。また、野菜類の育苗から収穫保存まで同じ場所で実施できるから、省力、省スペース、省エネルギー等を達成することが容易である。また、本装置は簡単な部品で構成されているので、設備費用や設置に要する費用が少なく、経済的である。
【発明を実施するための最良の形態】
【００１０】
以下、本発明の実施形態を図面に基づいて説明する。図１は、本発明の実施するための最良の形態に係る野菜類の育成・保存装置であって、苗の育成時における模式的全体斜視図である。図２は、本発明の実施するための最良の形態に係る野菜類の育成・保存装置であって、成長時における模式的全体斜視図である。図３は、本発明の実施するための最良の形態に係る野菜類の育成・保存装置であって、保存時における模式的全体斜視図である。図４は、図１における野菜類の育成・保存装置の支柱脚であって、（ａ）は正面図、（ｂ）は側面図である。
【００１１】
図１，２，３，４に基いて、本発明に係る野菜類の育成・保存装置の最良の実施形態を説明すると、野菜類の育成・保存装置１は、主として、複数の連設された略Ａ字型の支柱２と、支柱同士を軸方向に繋ぐ一本の上部連結具７と、二本の下部連結具８と、支柱２の外郭と上部連結具７を取り囲むようにカマボコ型に張設された覆い具１１と、から構成される。支柱２は、略Ａ字型の外形を有し、全部が合成樹脂製又は金属製棒を芯にして外被を合成樹脂製にしたものであって、支柱２の両脚部６を繋ぐ上下の上部横梁３と下部横梁４と一体に成型され、頑丈な構造を呈すると同時に、人力で取り扱い易いように軽量化を図っている。
【００１２】
図１に示すように、支柱２は畑の畝を跨ぐように設けられ、脚部６の先端に基礎１７を設けているので、基礎１７は畝合い１６に設置する。支柱２の全高は１〜２ｍであり、連設の支柱２の間隔は３〜５ｍである。支柱２の頂部５のところで、支柱２同士をパイプ状又は角筒状の上部連結具７にて繋ぎ、更に上部横梁３のところで、支柱２同士を二本のパイプ状又は角筒状の下部連結具８にて繋ぎ、支柱２同士を連結することにより、構造的に頑丈な本装置１の外郭を形成する。また、この繋ぎは横梁３に嵌め溝を作って結合してもよいし、連結具７，８と横梁３とをクランプ（図示しない）により繋いでもよい。また、二本の下部連結具８は、収穫した野菜類を懸架することにも使われる。  収穫物が玉葱のように重量が大きい場合には、支柱２を四本脚の平面視略Ｘ字状（図示していない）にして頑強にすることもできる。また、基礎１７も、設置場所が平坦で、設置荷重に耐えれば単に置くだけで支柱２の据付けが可能であるし、設置場所が不適切であれば穴を掘って脚部６を地中に埋設することも可能であるように、基礎１７の構築も自由度が高い。
【００１３】
図４に示すように、支柱２の脚部６の上部には、ラチェット式の回動ジョイント１０が二箇所設けられ、回動ジョイント１０の軸端には可動アーム９が軸支されている。可動アーム９は、数十ｃｍ長さの腕を有し、回動ジョイント１０を中心に外方へ開くように回動可能であり、その回動動作は閉位置９−１、半開位置９−２又は全開位置９−３にラチェット式の回動ジョイント１０の働きで固定することができる。ラチェット式の回動ジョイント１０は可動アームを閉位置９−１から全開位置９−３まではステップ状に間欠回動し、所望の位置でラチェットにより掛止することができるのに対し、逆に全開位置９−３を過ぎて閉位置９−１まで戻るのはラチェットが外れて一気に回動する機構となっている。可動アーム９は、本図では支柱２の両脚部６に１個づつ計２個設けられているが、片側１個のみでも設置することができる。
【００１４】
覆い具１１は連設された支柱２群と、上部連結具７とで構成される内郭の外側を通常全面に張りめぐらしている。この場合に覆い具１１は支柱２の脚部６及び上部連結具７に紐又はクリップ又は鳩目フックにより係止されて、張設することができる。これらの紐又は鳩目フックは脚部６に螺着されたビス（図示しない）の頭に引掛ければ作業が簡易である。また、本装置１の軸方向の妻面も通常覆い具１１を張って温室効果をもたらすことができる。また、覆い具１１を可動アーム９の反回動ジョイントの端部で切断して分割すれば、可動アーム９が半開又は全開状態の時には可動アーム９に取り付けた覆い具１１と支柱２の脚部６に取り付けられた覆い具１１との間が揚げ窓のようになり、更に風通しを良くすることができる。また、覆い具１１は支柱２の脚部６で裾上げして開口部を作って留めることも可能である。
【００１５】
覆い具１１は透明又は不透明の合成樹脂製シート又は合成樹脂製ネット又は寒冷紗のいずれかから選択されるものであって、用途に合わせて適切に選択することができる。例示すると、防寒や温室効果を発揮する場合には透明な合成樹脂製シートが適し、遮光や防暑の目的には不透明な合成樹脂製シート又は寒冷紗が適している。また、蔓ものの野菜を育成するには合成樹脂製ネットが適している場合がある。また、覆い具１１は、支柱２間に張設されているが、ワイヤ状又は紐状の高張力の補強体１２で裏打ちされていると、強風等によって覆い具１１の外郭形を損ねることが少なく、また切り裂きに対して防ぐことができる。補強体１２としては針金を使用するのが簡便でよく、その際は支柱２の頂部５に相当する部位にゴム紐のような弾力性のある紐を針金に挿入すれば、覆い具１１を頂部５の曲面により適合させることができる。
【００１６】
図１は、野菜類の育成・保存装置１において、可動アーム９が閉状態にあって、ビニールシートのような透明の覆い具１１を用い、かつ妻面も同様な覆い具１１を用いて張設すると、温室として使用することができ、防雨と保温の効果をもたらすので、野菜２０の播種から苗の育成時にかけて苗の成長を促進することができる。また、図２は、可動アーム９が半開状態であって、可動アーム９の下で覆い具１１が持ち上げられたところと、装置１端部の支柱２の両脚部６に張られた覆い具１１との間に、ダクト状の空間を形成し、装置内へ風通しを良くすることができる。また、前述のように、可動アーム９端で覆い具１１を分断して揚げ窓にすれば、更に外気の導入や外気との入れ替えを十分に行うことができる。また、妻面の覆い具１１を取り外せば、外気の導入はより強くすることができる。また、半開状態の可動アーム９上に、覆い具１１を半透明のシートにするとか、又は透明シート上に寒冷紗を掛ければ遮光することもできる。これらの外気導入や遮光の程度を調節することにより、野菜２０の最大成長時に適合した条件を作ることができる。また、図３の場合には、可動アーム９を全開にした状態であって、覆い具１１の裾上げすること、また、妻面の覆い具１１を取り外して、換気も最大にすることができるから、湿度の少ない季節の晩秋や初冬であれば装置１内の乾燥状態をよく保てるので、野菜２０の収穫物を保存し易い状態にすることができる。また、全開の可動アーム９間に雨よけシートを被せれば簡易テント小屋となり、畑の中での野菜２０の収穫物の保存が可能であるから、運搬コストが節約できるし、出荷時には不要部分を畑にそのまま切り落として、放置して肥料化することで再利用することが可能となる等の利点が多い。
【００１７】
また、支柱２の両脚部６間にネットを張れば、胡瓜、トマト、豆類などの蔓性の作物の支えとして、また、支柱２を上部連結具７に繋げれば強固な支えになり、覆い具１１が無くても、いろんな野菜にも利用することができるので応用範囲が広い。
【産業上の利用可能性】
【００１８】
畑における野菜類の育苗から育成・栽培、収穫の保存までを同一設備で適用することができる。また、園芸部門においても利用することができる。
【図面の簡単な説明】
【００１９】
【図１】本発明の実施するための最良の形態に係る野菜類の育成・保存装置であって、苗の育成時における模式的全体斜視図である。
【図２】本発明の実施するための最良の形態に係る野菜類の育成・保存装置であって、成長時における模式的全体斜視図である。
【図３】本発明の実施するための最良の形態に係る野菜類の育成・保存装置であって、保存時における模式的全体斜視図である。
【図４】図１における野菜類の育成・保存装置の支柱脚であって、（ａ）は正面図、（ｂ）は側面図である。
【符号の説明】
【００２０】
１：育成・保存装置              ２：支柱            ３：上部横梁
４：下部横梁        ５：頂部          ６：脚部        ７：上部連結具
８：下部連結具            ９：可動アーム        ９−１：閉位置
９−２：半開位置        ９−３：全開位置        １０：回動ジョイント
１１：覆い具        １２：補強体      
１５：畝              １６：畝合い      １７：基礎    
２０：野菜
【図１】
2009011220.tif 000003
【図２】
2009011220.tif 000004
【図３】
2009011220.tif 000005
【図４】
2009011220.tif 000006